(57)【要約】【課題】メモリカードがコネクタから不用意に飛び出すことを防止でき、又、より簡易な構成のロック機構を有するメモリカード用コネクタを提供する。【解決手段】ハウジング１にカバー２が覆うように取り付けられ、カード保持部１Ｂはメモリカード１０が挿入されるカード挿入口１Ａを有する。メモリカード１０の面上接続端子と電気的に接触する複数のカンチレバーコンタクト３は、カード挿入口１Ａに対向して配列される。圧縮コイルばね５は揺動スライダ４を反挿入方向に付勢する。揺動スライダ４はメモリカード１０の挿入側隅部に当接される第１爪４１と、メモリカード１０の側面に形成されている凹部１０Ａに出入りする第２爪４２とを備える。揺動スライダ４は凹部１０Ａとの係合状態を維持しつ、ハート状のカム溝４Ａの軌跡に従動して装着状態又は抜去可能状態とされる。【選択図】        図２
2005071667.tif 000002
【特許請求の範囲】
【請求項１】
ハウジングにカバーが覆うように取り付けられており、メモリカードが挿入されるカード挿入口を有する薄直方体形状のカード保持部と、前記カード挿入口に対向して配列されており、当該メモリカードの面上接続端子と電気的に接触する複数のカンチレバーコンタクトと、を備えているメモリカード用コネクタであって、
前記カード保持部に挿入される当該メモリカードの側面に押圧されて当該メモリカードの側面に形成されている凹部に変位係合すると共に、当該メモリカードに追従される揺動スライダを有しており、
前記メモリカードが装着位置に到ったときに、当該メモリカードを位置固定するロック機構を備え、
当該ロック機構によって前記メモリカードの装着状態が維持されることを特徴とするメモリカード用コネクタ。
【請求項２】
前記ロック機構は、前記揺動スライダを反挿入方向に付勢する付勢部材と、前記揺動スライダの上面に形成されているハート状のカム溝に連結する案内軸と、を備えており、
前記メモリカードが装着状態のときに当該メモリカードを挿入方向に押すと、前記案内軸はハート状のカム溝の帰り行程の軌跡に移動して当該メモリカードの装着状態が解除され、
前記揺動スライダは、当該メモリカードの凹部に変位係合している状態を維持しながら前記付勢部材の付勢力により反挿入方向に移動されることを特徴とする請求項１記載のメモリカード用コネクタ。
【請求項３】
前記揺動スライダは、前記メモリカードの挿入側隅部に当接される第１爪と、前記メモリカードの側面に形成されている凹部に出入りする第２爪と、を備えており、
前記第２爪は、前記カード保持部に挿入される当該メモリカードの側面を押圧するように、当該カード保持部に突出して配置されていることを特徴とする請求項１又は２のいずれかに記載のメモリカード用コネクタ。
【請求項４】
前記ハート状のカム溝に従動する前記案内軸が逆軌跡を描かないように当該カム溝の底面は段差が設けられ、
前記カム溝の底面に当該案内軸を押圧する圧接片が前記カバーに備えられていることを特徴とする請求項２又は３のいずれかに記載のメモリカード用コネクタ。
【請求項５】
前記メモリカードはｍｉｎｉＳＤカードを含むことを特徴とする請求項１から４のいずれかに記載のメモリカード用コネクタ。
【発明の詳細な説明】
【技術分野】
【０００１】
本発明は、メモリカード用コネクタに関する。本発明は、ＳＤＡ（ＳＤ  Ｃａｒｄ  Ａｓｓｏｃｉａｔｉｏｎ）が規格するｍｉｎｉＳＤ（Ｓｅｃｕｒｅ  Ｄｉｇｉｔａｌ）カード等のメモリカードが挿入されることによって、当該メモリカードと電気的に接続するメモリカード用コネクタに関する。特に、挿入されたメモリカードが装着位置に保持されるロック機構付きのメモリカード用コネクタに関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
フレキシブルディスク（ＦＤ）や光磁気ディスク（ＭＯ）等のディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、このメモリカードは、データの読み書きにＦＤやＭＯ等のように駆動装置を必要としないというメリットがあるため、消費電力や携帯性が重要視されるデジタルカメラやノート型パソコン、携帯音楽プレーヤーには好適である。
【０００５】
ｍｉｎｉＳＤカードの外形は、２１．５ｍｍ（縦）×２０ｍｍ（横）×１．４ｍｍ（厚さ）となっており、ＳＤカードの外形が３２．２ｍｍ（縦）×２４ｍｍ（横）×２．１ｍｍ（厚さ）であるのと比較して容積で約６０％減縮されている。又、ＳＤカードの面上接続端子が９ピンであるのに対し、ｍｉｎｉＳＤカードの面上接続端子は１１ピンであるという違いもある。
【０００６】
このようなメモリカードのデータを読み書きするためのコネクタとして、ハウジングに装着されたメモリカードが、脱落または引き抜かれることを防止するロック機構付きのメモリカード用コネクタが発明されている（例えば、特許文献１）。
【０００７】
前述のメモリカード用コネクタは、ハウジングと、ハウジングの上面及び左右側面を覆うように取り付けられるシールド用のプレートと、挿入されたメモリカードをロックするロック機構と、ハウジングに一体形成されたコネクタピン保持部とを備えている。そして、ロック機構は、メモリカード挿入部に挿入されたメモリカードに係合してメモリカードを所定装着位置にロックするロック部材と、ロック部材を支持するスライダと、スライダを抜去方向へ付勢するイジェクト用のコイルバネと、スライダに形成されたハートカムに係合してスライダを装着位置に係止するロックピンとから構成されている。
【特許文献１】特開２００３−８６２９６号公報
【発明の開示】
【発明が解決しようとする課題】
【０００８】
しかしながら、従来のメモリカード用コネクタは、ロック部材とスライダとコイルバネとロックピンとで、ロック機構が構成されており、構成部品も多く、メモリカード用コネクタのコストを引き上げる要因ともなっていた。
【０００９】
又、メモリカードの各端子に接触する複数のコネクタピン（接触端子）とメモリカードの摩擦抵抗に抗して、メモリカードを引き抜くためにコイルバネの圧縮力を大きくすると、従来のメモリカード用コネクタは、メモリカードがメモリカード用コネクタから飛び出してしまうおそれがあった。
【００１０】
本発明は、上述した課題を解決すべく、ロック機構を有するメモリカード用コネクタにおいて、メモリカードがメモリカード用コネクタから不用意に飛び出すことを防止でき、又、より簡易な構成のロック機構を有するメモリカード用コネクタを提供することを目的とする。
【課題を解決するための手段】
【００１１】
発明者は、上記目的を満たすため、以下のような新たなメモリカード用コネクタを発明した。
【００１２】
（１）  ハウジングにカバーが覆うように取り付けられており、メモリカードが挿入されるカード挿入口を有する薄直方体形状のカード保持部と、前記カード挿入口に対向して配列されており、当該メモリカードの面上接続端子と電気的に接触する複数のカンチレバーコンタクトと、を備えているメモリカード用コネクタであって、前記カード保持部に挿入される当該メモリカードの側面に押圧されて当該メモリカードの側面に形成されている凹部に変位係合すると共に、当該メモリカードに追従される揺動スライダを有しており、前記メモリカードが装着位置に到ったときに、当該メモリカードを位置固定するロック機構を備え、当該ロック機構によって前記メモリカードの装着状態が維持されることを特徴とするメモリカード用コネクタ。
【００１３】
（２）  前記ロック機構は、前記揺動スライダを反挿入方向に付勢する付勢部材と、前記揺動スライダの上面に形成されているハート状のカム溝に連結する案内軸と、を備えており、前記メモリカードが装着状態のときに当該メモリカードを挿入方向に押すと、前記案内軸はハート状のカム溝の帰り行程の軌跡に移動して当該メモリカードの装着状態が解除され、前記揺動スライダは、当該メモリカードの凹部に変位係合している状態を維持しながら前記付勢部材の付勢力により反挿入方向に移動されることを特徴とする（１）記載のメモリカード用コネクタ。
【００１４】
（３）  前記揺動スライダは、前記メモリカードの挿入側隅部に当接される第１爪と、前記メモリカードの側面に形成されている凹部に出入りする第２爪と、を備えており、前記第２爪は、前記カード保持部に挿入される当該メモリカードの側面を押圧するように、当該カード保持部に突出して配置されていることを特徴とする（１）又は（２）のいずれかに記載のメモリカード用コネクタ。
【００１５】
（４）  前記ハート状のカム溝に従動する前記案内軸が逆軌跡を描かないように当該カム溝の底面は段差が設けられ、前記カム溝の底面に当該案内軸を押圧する圧接片が前記カバーに備えられていることを特徴とする（２）又は（３）のいずれかに記載のメモリカード用コネクタ。
【００１６】
（５）  前記メモリカードはｍｉｎｉＳＤカードを含むことを特徴とする（１）から（４）のいずれかに記載のメモリカード用コネクタ。
【００１７】
（１）記載の発明によれば、「ハウジングにカバーが覆うように取り付けられており、メモリカードが挿入されるカード挿入口を有する薄直方体形状のカード保持部と、前記カード挿入口に対向して配列されており、当該メモリカードの面上接続端子と電気的に接触する複数のカンチレバーコンタクトと、を備えているメモリカード用コネクタであって、前記カード保持部に挿入される当該メモリカードの側面に押圧されて当該メモリカードの側面に形成されている凹部に変位係合すると共に、当該メモリカードに追従される揺動スライダを有しており、前記メモリカードが装着位置に到ったときに、当該メモリカードを位置固定するロック機構を備え、当該ロック機構によって前記メモリカードの装着状態が維持される」ことを特徴としてよい。
【００１８】
メモリカードは、メモリチップをカード型外殻に封止したカード形状に形成され、一端辺近傍に面上接続端子が配列されている記憶装置であってよく、本発明によるメモリカード用コネクタに挿抜されるメモリカードは、ｍｉｎｉＳＤカードを含んでよく、ＳＤカード又はメモリスティックカードを含んでよい。
【００１９】
ハウジングは絶縁性の合成樹脂材で成形されてよく、矩形状に形成されたハウジングの中央部はメモリカードが入るための上面開放凹部が形成される。カバーは両翼がＬ字状に折り曲げられ、前記上面開放凹部を覆うようにハウジングに取り付けられる。なお、カバーはメモリカードをシールドするために金属板で成形されることが好ましい。
【００２０】
カバーがハウジングに取り付けられることによって、このメモリカードが挿入されるカード挿入口を有する薄直方体形状のカード保持部が形成される。
【００２１】
カード保持部となる上面開放凹部は、メモリカードの横幅より僅かに広い間隔を有する相対向する案内壁を備えており、この案内壁にメモリカードの横幅が規制されて、メモリカードの面上接続端子と複数のカンチレバーコンタクトの位置合わせが可能となる。
【００２２】
カンチレバーコンタクトは、板ばね接触子であって、板ばねの働きが片持梁のコンタクトである。この複数のカンチレバーコンタクトはメモリカードの挿入方向と直交する方向に整列して配置されている。
【００２３】
複数のカンチレバーコンタクトは、カード保持部においてカード挿入口から対向する位置に配置されている。つまり、複数のカンチレバーコンタクトは、メモリカードに配列されている面上接続端子側の終縁部が近接する停止壁側に配置されている。
【００２４】
そして、カンチレバーコンタクトの弾性部はカード挿入口に対向しており、カンチレバーコンタクトにおける固定部の端部は停止壁の後方に延出してはんだ接合される接合タブを形成している。
【００２５】
このようなメモリカード用コネクタにあっては、メモリカードは面上接続端子が上向きで挿入され、つまり、面上接続端子がカバーの内壁に対向するように挿入され、メモリカードの装着位置において、複数のカンチレバーコンタクトが面上接続端子を押圧して、メモリカードの電気的接続を可能としている。
【００２６】
このメモリカード用コネクタに備わるロック機構は、揺動スライダを有している。この揺動スライダは上面開放凹部の片側側部平面に配置される。そして、この揺動スライダはメモリカードにおける反挿入方向に移動する力を付勢部材となる引張コイルばねによって付勢されている。
【００２７】
一方、前記上面開放凹部の片側側部平面には、ハウジングにおける停止壁側からカード挿入口側に向かって四角柱状の第１ガイドを延出している。この第１ガイドの終端に円柱状の突起が形成されている。
【００２８】
前記第１ガイドにおける円柱状の突起が案内される座ぐり長穴が揺動スライダの底面に形成され、この突起と前記座ぐり長穴が係止されることによって、引張コイルばねに付勢される揺動スライダの停止位置が規制される。
【００２９】
更に、上面開放凹部の片側側部平面には、第１ガイドと平行に四角柱状の第２ガイドが形成されている。この第２ガイドは、第１ガイドより上面開放凹部の中央寄りに配置されている。又、第１ガイドと第２ガイドは近接配置されている。
【００３０】
揺動スライダの底面には、第２ガイドと緩やかに結合する凹部が形成されている。第１ガイドと第２ガイドが平行に配置されていることにより、引張コイルばねに抗して揺動スライダが移動するときに、揺動スライダの直線運動が確保される。
【００３１】
又、揺動スライダの上面にはハート状のカム溝が形成されており、案内棒の一端がこのハート状のカム溝に連結する。案内棒の他端は停止壁側に回転自在に保持されている。そして、揺動スライダと案内棒は前記ハート状のカム溝の軌跡に従動して相対変位する。
【００３２】
揺動スライダは、前記メモリカードの挿入側隅部に当接される第１爪と、メモリカードの側面に形成されている凹部に出入りする第２爪とを備えている。そして、第２爪は、カード保持部に挿入されるメモリカードの側面を押圧するように、カード保持部に突出して配置されている。
【００３３】
このようなロック機構を備えるメモリカード用コネクタにメモリカードを挿入すると、第２爪はメモリカードの側面に押圧摺動した後に凹部に入る。そして、メモリカードは第２爪が凹部に係合されると共に第１爪に係合され、揺動スライダは引張コイルばねに抗して進行する。
【００３４】
メモリカードが装着位置に到ったときに、案内棒の一端はハート状のカム溝のＶ字溝に係止されているので、揺動スライダを有するロック機構はメモリカードを位置固定する。このようにして、ロック機構はメモリカードの装着状態を維持する。
【００３５】
メモリカードが装着状態のときにメモリカードを挿入方向に押すと、案内棒の一端はハート状のカム溝のＶ字溝から帰り行程の軌跡に移動する。そして、揺動スライダは引張コイルばねに付勢されて反挿入方向に移動する。メモリカードは第１爪に引きずられて反挿入方向、すなわちメモリカードの抜去方向に移動される。
【００３６】
なお、この間、第２爪はメモリカードの凹部に変位係合している状態を維持しながら移動されるので、メモリカードがメモリカード用コネクタから不用意に飛び出すことを防止できる。
【００３７】
引張コイルばねで付勢されている第２爪が凹部から乗り上げるような強い力でメモリカードを引っ張ることにより、メモリカードをメモリカード用コネクタから抜去できる。
【発明の効果】
【００３８】
本発明は、メモリカード用コネクタにおけるロック機構において、従来のロック部材とスライダとを揺動スライダとして一体化したので、構成を簡易することができた。更に、揺動スライダに備わる第２爪は、メモリカードの側面に形成されている凹部と共に移動するので、メモリカードがメモリカード用コネクタから不用意に飛び出すことを防止できる。
【００３９】
又、本発明は、このような簡易な構成のロック機構を有するので、メモリカードを確実に着脱することができる。
【発明を実施するための最良の形態】
【００４０】
以下、図面を参照して本発明を実施するための最良の形態を説明する。
【００４１】
図１は、本発明によるメモリカード用コネクタ（以下、コネクタと略称する。）の一実施例を示す斜視外観図である。図１のコネクタ１００において、符号１はハウジング、符号２はカバーである。
【００４２】
図１において、ハウジング１は絶縁性の合成樹脂材で矩形状に成形されている。カバー２は金属板で形成され、両翼がＬ字状に折り曲げられている。そして、ハウジング１にカバー２が覆うように取り付けられている。
【００４３】
そして、ハウジング１にカバー２が取り付けられることにより、コネクタ１００は、メモリカード１０が挿入されるカード挿入口１Ａを形成し、薄直方体形状のカード保持部１Ｂを形成する。複数のカンチレバーコンタクト３は、カード挿入口１Ａに対向してハウジング１に配列されており、メモリカード１０の面上接続端子（図示せず）と電気的に接触する。
【００４４】
図２は、図１に示されたカバー２を外した状態におけるコネクタ１００の斜視外観図である。図２の実施例に示されるように、カード保持部となる上面開放凹部１１は、メモリカード１０の横幅より僅かに広い間隔を有する相対向する案内壁１１Ａ及び１１Ｂを備えている。この案内壁１１Ａ及び１１Ｂにメモリカード１０の横幅が規制されて、メモリカード１０の面上接続端子と複数のカンチレバーコンタクト３の位置合わせが可能となる。
【００４５】
図２に示されるように、カンチレバーコンタクト３は、板ばね接触子であって、板ばねの働きが片持梁のコンタクトである。この複数のカンチレバーコンタクト３はメモリカード１０の挿入方向と直交する方向に整列して配置されている。
【００４６】
複数のカンチレバーコンタクト３は、メモリカード１０に配列されている面上接続端子側の終縁部が近接する停止壁１２側に配置されている。そして、カンチレバーコンタクト３の弾性部３Ａはカード挿入口１Ａ（図１参照）に対向しており、カンチレバーコンタクト３における固定部３Ｂの端部は停止壁１２の後方に延出してはんだ接合される接合タブ３Ｃを形成している。
【００４７】
図２に示されるように、このコネクタ１００に備わるロック機構１Ｒは、揺動スライダ４を有している。揺動スライダ４は上面開放凹部１１の片側側部平面に配置されている。そして、揺動スライダ４は、メモリカード１０における反挿入方向に移動する力を付勢部材となる引張コイルばね５によって付勢されている。
【００４８】
一方、上面開放凹部１１の片側側部平面には、ハウジング１における停止壁１２側からカード挿入口１Ａ（図１参照）側に向かって四角柱状の第１ガイド１３を延出している。第１ガイド１３の終端に円柱状の突起１３Ａが形成されている。
【００４９】
更に、上面開放凹部１１の片側側部平面には、第１ガイド１３と平行に四角柱状の第２ガイド１４が形成されている。第２ガイド１４は、第１ガイド１３より上面開放凹部１１の中央寄りに配置されている。第１ガイド１３と第２ガイド１４は近接配置されている。
【００５０】
又、図２に示されるように、揺動スライダ４の上面にはハート状のカム溝４Ａが形成されており、案内棒６の一端がこのハート状のカム溝４Ａに連結する。案内棒６の他端は停止壁１２側に回転自在に保持されている。そして、揺動スライダ４と案内棒６は前記ハート状のカム溝４Ａの軌跡に従動して相対変位する。
【００５１】
揺動スライダ４は、メモリカード１０の挿入側隅部に当接される第１爪４１を備えている。又、揺動スライダ４は、メモリカード１０の側面に形成されている凹部１０Ａに出入りする第２爪４２とを備えている。そして、メモリカード１０がカード保持部１Ｂに挿入されている状態では、第２爪４２はメモリカード１０の側面を押圧するように上面開放凹部１１側に突出して配置されている。
【００５２】
又、図２の右方の案内壁１１Ｂ側には、メモリカード１０が装着位置に在ることを電気的に検出するためのカード検出スイッチ７が設けられている。カード検出スイッチ７は可動板７Ａと固定板７Ｂで構成されている。
【００５３】
図２に示されるように、可動板７Ａの屈曲部が案内壁１１Ｂ側から突出している。メモリカード１０が装着位置に在るときは、メモリカード１０の側面に押されて、可動板７Ａにおける屈曲部の終端が固定板７Ｂに当接する。すなわち、可動板７Ａと固定板７Ｂは電気的に接続状態となる。
【００５４】
メモリカード１０をコネクタ１００から抜去すると、可動板７Ａの屈曲部は復帰して可動板７Ａと固定板７Ｂは電気的に遮断状態となる。なお、これら可動板７Ａと固定板７Ｂの終端は、このコネクタ１００が実装されるプリント基板のカード検出回路に接続されている。
【００５５】
図３はカバー２の斜視外観図である。図３に示されるように、カバー２の上面には一定の間隔をおいて一対の圧接片２Ａ及び２Ｂが形成されている。この圧接片２Ａ及び２Ｂは、図２に示されたメモリカード１０を上面開放凹部１１に押圧するためのものである。そして、メモリカード１０に印刷された文字等を磨耗させないように、一対の圧接片２Ａ及び２Ｂは一定の間隔を設けている。
【００５６】
更に、図３に示されるように、カバー２の上面後方には圧接片２Ｃが形成されている。この圧接片２Ｃは、図２に示された案内棒６をハート状のカム溝４Ａの底面に押圧するためのものである。又、カバー２の上面後方には、図２に示されたカンチレバーコンタクト３の接触状態を確認するための窓２Ｄが設けられている。
【００５７】
図４はハウジング１の斜視外観図である。図４に示されるように、第１ガイド１３と第２ガイド１４は上面開放凹部１１の底面から隆起するように、ハウジング１と一体で成形されている。
【００５８】
又、第２ガイド１４の後端には、図２に示された案内棒６の他端と回転結合する軸穴１４Ａが穿設されている。更に、案内壁１１Ａ側には、図２に示された引張コイルばね５のフックが係止される段付き溝１１Ｃが形成されている。
【００５９】
図５は、揺動スライダ４を表側から観た斜視外観図である。図５の実施例に示されるように、揺動スライダ４の左側にはハート状のカム溝４Ａが掘られている。そして、カム溝４Ａの頂点はＶ字溝４Ｖが形成されている。なお、カム溝４Ａの底面は案内棒６（図２参照）が逆軌跡を描かないように段差が設けられているが、詳細は後述する。
【００６０】
揺動スライダ４の右側面には第１爪４１が突出しており、揺動スライダ４の右側面と第１爪４１とで、メモリカード１０の挿入側隅部の形状に見合ったＬ字状の係止溝が形成されている。
【００６１】
揺動スライダ４の右側面上部には第２爪４２が突出している。メモリカード１０における矩形状の凹部１０Ａ（図２参照）と確実に係止するために、第２爪４２の一方の隅部は直角に形成されている。第２爪４２の他方の隅部は、メモリカード１０の側面とのすべり結合を容易にするため、斜面部が形成されている。
【００６２】
更に、図５に示されるように、揺動スライダ４の上部には、図２に示された引張コイルばね５のフックが係止される段付き溝４３が形成されている。
【００６３】
図６は、揺動スライダ４を裏側から観た斜視外観図である。図６の実施例に示されるように、第１ガイド１３（図４参照）における円柱状の突起１３Ａ（図４参照）が案内される座ぐり長穴４Ｂが揺動スライダ４の底面に形成されている。座ぐり長穴４Ｂの端部には、第１ガイド１３とすべり結合する溝４０Ｂが形成されている。そして、溝４０Ｂは終端に向かってＶ字状に開口している。
【００６４】
又、図６に示されるように、揺動スライダ４の底面には、第２ガイド１４（図４参照）と揺動自在にすべり結合する凹部４Ｃが形成されている。この凹部４Ｃも溝４０Ｂと同じく終端に向かってＶ字状に開口している。
【００６５】
図７は案内棒６の斜視外観図である。図７の実施例に示されるように、案内棒６は丸棒の両端部が直角に折り曲げられた形状となっている。案内棒６における一方の折り曲げ軸６Ａは、図２に示されるハート状のカム溝４Ａの従動節となっている。案内棒６における他方の折り曲げ軸６Ａは、図４に示された軸穴１４Ａに嵌合される。
【００６６】
そして、案内棒６は軸穴１４Ａを回転中心として揺動自在になっている。なお、案内棒６の中間軸部６Ｂは、図３に示された圧接片２Ｃに押圧される。
【００６７】
以上のように構成されたコネクタ１００へのメモリカード１０の着脱動作、又はロック機構１Ｒの動作を、次に説明する。
【００６８】
図８はコネクタ１００の平面図であり、メモリカード１０がコネクタ１００に装着される前の状態図である。図８において、揺動スライダ４は、図中矢印Ｒの方向に移動する力を引張コイルばね５で付勢されている。
【００６９】
図８において、揺動スライダ４は、ハート状のカム溝４Ａに案内棒６が係止しているので、図中矢印Ｒの方向にこれ以上は移動しない。そして、メモリカード１０の側面を押圧するために、揺動スライダ４における第２爪４２は案内壁１１Ａから突出して配置されている。
【００７０】
図９はコネクタ１００の平面図であり、メモリカード１０がコネクタ１００に挿入されて、メモリカード１０の側面傾斜部が第２爪４２の斜面部に当接した状態図である。
【００７１】
図９に示された状態において、メモリカード１０の挿入側隅部は第１爪４１にまだ当接していない。なお、メモリカード１０は面上接続端子が上側になるように、コネクタ１００に挿入される。
【００７２】
図９の状態から、メモリカード１０を図中矢印Ｆの方向に僅かに挿入すると、メモリカード１０の側面傾斜部が第２爪４２の斜面部を乗り上げるようにして互いに滑動し、図１０に示された状態になる。
【００７３】
図１０はコネクタ１００の平面図であり、引張コイルばね５の付勢力に抗して、メモリカード１０の側面が、第２爪４２を押し上げている状態図である。図９から図１０に変化する過程において、第１ガイド１３における円柱状の突起１３Ａ（図４参照）を回転中心として、揺動スライダ４は反時計方向に回転している。
【００７４】
図１０の状態から、引張コイルばね５の付勢力に抗して、メモリカード１０を図中矢印Ｆの方向に更に挿入すると、図１１に示される状態になる。
【００７５】
図１１はコネクタ１００の平面図であり、図１０から図１１に変化する過程においては、メモリカード１０の側面傾斜部が第２爪４２を乗り上げて、第２爪４２が凹部１０Ａに突入するようにして入り込んでいる。又、図１１に示された状態では、メモリカード１０の挿入側隅部が第１爪４１に当接している。
【００７６】
なお、図１１に示された状態では、引張コイルばね５の付勢力により、揺動スライダ４は時計方向に回転し、図９と同じ姿勢に復帰している。図１１の状態から、引張コイルばね５の付勢力に抗して、メモリカード１０を図中矢印Ｆの方向に更に挿入すると、図１２に示される装着状態になる。
【００７７】
図１２はコネクタ１００の平面図であり、図１１から図１２に変化する過程においては、第１ガイド１３と第２ガイド１４に案内されて、揺動スライダ４は平行移動する。そして、揺動スライダ４はメモリカード１０の挿入動作に追従している。
【００７８】
図１２において、案内棒６の一方の折り曲げ軸６Ａは、ハート状のカム溝４ＡにおけるＶ字溝４Ｖに移動している。揺動スライダ４は引張コイルばね５によって、図中矢印Ｒの方向に移動する力を付勢されているが、案内棒６がＶ字溝４Ｖに係止しているので、揺動スライダ４はこの状態で位置固定される。
【００７９】
図１２はメモリカード１０の装着状態であり、図１２の装着状態において、メモリカード１０の面上接続端子が複数のカンチレバーコンタクト３と接触し、メモリカード１０のデータを読み書きできる。そして、第２爪４２は凹部１０Ａに入り込んでいるで、メモリカード１０がコネクタ１００から振動等で容易に抜け出すことがない。この発明は、このように構成されたロック機構１Ｒによって、メモリカード１０の装着状態が維持される。
【００８０】
図１２の状態から、引張コイルばね５の付勢力に抗して、メモリカード１０を図中矢印Ｆの方向に更に挿入すると、案内棒６の一方の折り曲げ軸６Ａは、Ｖ字溝４Ｖから解放されて、左の帰り行程の軌跡に移動する。
【００８１】
そして、メモリカード１０は、引張コイルばね５の付勢力で図中矢印Ｒの方向に移動して図１３の状態になる。つまり、メモリカード１０は第１爪４１に引きずられて反挿入方向、すなわちメモリカード１０の抜去方向に移動される。
【００８２】
図１３はコネクタ１００の平面図であり、図１２の状態からの変化図である。図１３では、コネクタ１００とメモリカード１０との位置関係及びロック機構１Ｒは、図１１と同じ状態に復帰している。しかし、この間、第２爪４２はメモリカード１０の凹部１０に変位係合している状態を維持しながら移動されるので、メモリカード１０がコネクタ１００から不用意に飛び出すことはない。
【００８３】
そして、図１０に示されるように、引張コイルばね５で付勢されている第２爪４２が凹部１０Ａから乗り上げるような強い力でメモリカード１０を引っ張ることにより、図９に示された状態を経て、メモリカード１０をコネクタ１０から抜去できる。
【００８４】
次に、ハート状のカム溝４Ａを有する揺動スライダ４の作用を図１４により説明する。図１４（ａ）は揺動スライダ４の平面図、図１４（ｂ）は図１４（ａ）のＢ−Ｂ断面図、図１４（ｃ）は図１４（ａ）のＣ−Ｃ断面図である。又、図１４（ｄ）は図１４（ａ）のＤ−Ｄ断面図、図１４（ｅ）は図１４（ａ）のＥ−Ｅ断面図である。
【００８５】
ハート状のカム溝４Ａを有する揺動スライダ４を動節となるカムとし、案内棒６（図２参照）を従動節とすれば、揺動スライダ４と案内棒６はカムと従動節が相対変位するカム装置を構成していると言える。
【００８６】
そして、実施の形態では、揺動スライダ４と案内棒６の接触点は、ハート状の軌跡を描く平面曲線のみならず、カム溝４Ａの底面が段差又は斜面となる連続軌跡を含む空間曲線となっている。揺動スライダ４と案内棒６は、いわゆる立体カム装置を構成している。
【００８７】
図１４に示されるように、カム溝４Ａにおける軌跡の出発点となる底面Ａ１は、揺動スライダ４の底面と平行する平面となっている。そして、底面Ａ１から立ち上がるようにして斜面となる底面Ａ２が形成されている。
【００８８】
斜面となる底面Ａ２を過ぎると、底面Ａ１より高い平面を有する底面Ａ３となる。底面Ａ３を過ぎると段差となって、底面Ａ３より低い平面を有する屈曲した底面Ａ４となる。すなわち、案内棒６の折り曲げ軸６Ａ（図１２参照）が、図１１の状態から図１２の状態に移動する過程においては、底面Ａ４に到達した折り曲げ軸６Ａは底面Ａ３に戻ることはできない。
【００８９】
そして、図１４に示されるように、底面Ａ４を過ぎると段差となって、底面Ａ４より低い平面を有する底面Ａ５となる。そして、底面Ａ４を有する溝と底面Ａ５を有する溝は、Ｖ字溝４Ｖを形成している。
【００９０】
すなわち、案内棒６の折り曲げ軸６Ａ（図１１参照）が、図１１の状態から図１２の状態に移動する過程においては、底面Ａ５に到達した折り曲げ軸６Ａは底面Ａ４に戻ることはできない。折り曲げ軸６ＡがＶ字溝４Ｖに到達した状態は、図１２に示されたようにロック状態又は装着状態であるが、折り曲げ軸６Ａが底面Ａ１から底面Ａ５に到る軌跡は行き行程ということもできる。
【００９１】
そして、図１２でも説明されたように、引張コイルばね５の付勢力に抗して、メモリカード１０を図中矢印Ｆの方向に更に挿入すると、案内棒６の一方の折り曲げ軸６Ａは、Ｖ字溝４Ｖから解放されて、左の帰り行程の軌跡に移動する。
【００９２】
そして、図１４に示されるように、底面Ａ５を過ぎると段差となって、底面Ａ５より低い平面を有する底面Ａ６となる。すなわち、帰り行程の軌跡において、底面Ａ６に到達した折り曲げ軸６Ａ（図１２参照）は、底面Ａ５に戻ることはできない。
【００９３】
更に、図１４に示されるように、底面Ａ６に連続して底面Ａ６から立ち上がるようにして斜面となる底面Ａ７が形成されている。斜面となる底面Ａ７を過ぎると、底面Ａ６より高い平面を有する底面Ａ８となる。底面Ａ８を過ぎると段差となって、底面Ａ８より低い平面を有する底面Ａ１に戻る。
【００９４】
このように、カム溝４Ａと案内棒６（図２参照）の接触点は、ハート状の平面軌跡を描きつつ、高さ方向には部分的に不可逆な軌跡を描いている。
【図面の簡単な説明】
【００９５】
【図１】本発明によるメモリカード用コネクタの一実施例を示す斜視外観図である。
【図２】本発明によるカバーを外した状態におけるコネクタ１００の斜視外観図である。
【図３】本発明によるカバーの斜視外観図である。
【図４】本発明によるハウジングの斜視外観図である。
【図５】本発明による揺動スライダを表側から観た斜視外観図である。
【図６】本発明による揺動スライダを裏側から観た斜視外観図である。
【図７】本発明による案内棒の斜視外観図である。
【図８】本発明によるメモリカード用コネクタの平面図であり、メモリカードがメモリカード用コネクタに装着される前の状態図である。
【図９】本発明によるメモリカード用コネクタの平面図であり、メモリカードがメモリカード用コネクタに挿入されて、メモリカードの側面傾斜部が第２爪の斜面部に当接した状態図である。
【図１０】本発明によるメモリカード用コネクタの平面図であり、引張コイルばねの付勢力に抗して、メモリカードの側面が第２爪を押し上げている状態図である。
【図１１】本発明によるメモリカード用コネクタの平面図であり、第２爪が凹部に入り込んでいる状態図である。
【図１２】本発明によるメモリカード用コネクタの平面図であり、メモリカードの装着状態図である。
【図１３】本発明によるメモリカード用コネクタの平面図であり、図１２の状態からの変化図である。
【図１４】本発明によるハート状のカム溝を有する揺動スライダの作用を説明する図である。
【符号の説明】
【００９６】
１    ハウジング
１Ａ    カード挿入口
１Ｂ    カード保持部
１Ｒ    ロック機構
２    カバー
２Ａ・２Ｂ・２Ｃ    圧接片
３    カンチレバーコンタクト
３Ａ    弾性部
３Ｂ    固定部
３Ｃ    接合タブ
４    揺動スライダ
４Ａ    カム溝
４Ｖ    Ｖ字溝
６    案内棒
７    カード検出スイッチ
７Ａ    可動板
７Ｂ    固定板
１０    メモリカード
１０Ａ    凹部
１１    上面開放凹部
１１Ａ・１１Ｂ    案内壁
１２    停止壁
１３    第１ガイド
１３Ａ    突起
１４    第２ガイド
４１    第１爪
４２    第２爪
１００    メモリカード用コネクタ（コネクタ）
【図１】
2005071667.tif 000003
【図２】
2005071667.tif 000004
【図３】
2005071667.tif 000005
【図４】
2005071667.tif 000006
【図５】
2005071667.tif 000007
【図６】
2005071667.tif 000008
【図７】
2005071667.tif 000009
【図８】
2005071667.tif 000010
【図９】
2005071667.tif 000011
【図１０】
2005071667.tif 000012
【図１１】
2005071667.tif 000013
【図１２】
2005071667.tif 000014
【図１３】
2005071667.tif 000015
【図１４】
2005071667.tif 000016